(57)【特許請求の範囲】
【請求項１】
第１方向において互いに反対側を向く表面および裏面を有する第１板部と、前記第１方向視において前記第１板部を囲み、且つ第１板部に対して前記第１方向のうち前記裏面が向く方向に延出する第２板部と、を有する装置ケースと、
前記第１板部に対して前記裏面側に着脱可能に取り付けられるＬＥＤユニットと、
前記装置ケースに対して着脱可能に取り付けられる装置支持体と、を備え、
前記装置支持体は、各々が前記第１方向のうち前記裏面が向く方向に延びる複数の係止板を備え、
前記各係止板は、前記第１方向において前記第１板部寄りに位置する第１延出片と、前記第１方向において前記第１板部から前記第１延出片よりも離れて位置し、且つ前記第１方向に沿って延びる前記装置支持体の中心線に対する径方向において前記中心線から前記第１延出片よりも近い位置にある第２延出片と、を有し、
前記複数の係止板は、前記第１方向視において前記複数の係止板で囲まれた空間に前記第２板部を配置可能な第１姿勢と、前記複数の係止板のうち少なくともいずれかの前記第１延出片の前記径方向における最大突出長さが前記第１姿勢をとるときよりも短くなる第２姿勢と、の間で姿勢変更可能である、ＬＥＤ照明装置。
【請求項２】
前記装置支持体は、前記各係止板が取り付けられる第３板部を有する、請求項１に記載のＬＥＤ照明装置。
【請求項３】
前記各係止板は、前記第３板部に一部が重ね合わされる接続板部を有する、請求項２に記載のＬＥＤ照明装置。
【請求項４】
前記複数の係止板の少なくとも一つは、前記第１方向に沿う軸線回りに回動可能である、請求項３に記載のＬＥＤ照明装置。
【請求項５】
前記軸線は、前記第３板部と前記接続板部の重合部分を通る、請求項４に記載のＬＥＤ照明装置。
【請求項６】
前記接続板部および前記第３板部のうち、一方には前記軸線を中心とする円弧状溝が形成され、他方には前記円弧状溝に挿通する突部が設けられている、請求項５に記載のＬＥＤ照明装置。
【請求項７】
前記複数の係止板は、前記円弧状溝の周方向一方の第１内側縁部と前記突部とが当接するときに前記第１姿勢をとり、前記円弧状溝の周方向他方の第２内側縁部と前記突部とが当接するときに前記第２姿勢をとる、請求項６に記載のＬＥＤ照明装置。
【請求項８】
前記第３板部は、前記第１板部と平行に配置され、且つ前記各係止板の前記接続板部と重なり合う部分を有する主板部と、この主板部の端縁から折れ曲がって、前記第１方向のうち前記裏面が向く方向に突き出る突出部と、を有する、請求項７に記載のＬＥＤ照明装置。
【請求項９】
前記複数の係止板が前記第１姿勢をとるとき、前記軸線回りに回動可能な前記係止板における前記接続板部の端縁が、前記突出部に当接する、請求項８に記載のＬＥＤ照明装置。
【請求項１０】
前記装置支持体は、前記複数の係止板が前記第１姿勢をとるとき前記軸線回りに回動可能な前記係止板の回動を阻止するロック機構を備える、請求項６ないし９のいずれかに記載のＬＥＤ照明装置。
【請求項１１】
前記ロック機構は、前記接続板部および前記第３板部のうち、前記他方に形成されたネジ孔と、当該ネジ孔に螺合するネジ軸および当該ネジ軸の一端につながる頭部を有し、且つ前記ネジ軸が前記突部であるボルト部材と、を含んで構成される、請求項１０に記載のＬＥＤ照明装置。
【請求項１２】
前記装置支持体は、基端部が前記第１延出片に対して前記第１方向に沿って移動可能に取り付けられ、且つ前記第１延出片に対して前記径方向の外方に延出する、係止部材を備える、請求項１ないし１１のいずれかに記載のＬＥＤ照明装置。
【請求項１３】
前記係止部材は、前記基端部から先端部に向かうにつれて前記径方向における外方で且つ前記第１方向のうち前記裏面が向く方向に向かうように傾斜する第１位置と、前記基端部が前記第１位置よりも前記第１方向のうち前記表面が向く方向寄りに位置し、前記基端部から前記先端部にかけて前記第１方向に略沿って延びる第２位置と、をとるように変位可能である、請求項１２に記載のＬＥＤ照明装置。
【請求項１４】
前記係止部材が前記第１位置をとるとき、前記先端部に対して前記第１方向のうち前記表面が向く方向に力を付与すると、前記第１延出片には前記基端部側を回転中心として前記表面が向く方向へのモーメントが作用する、請求項１３に記載のＬＥＤ照明装置。
【請求項１５】
前記各係止板は、前記第１延出片および前記第２延出片につながる段差部を有する、請求項１ないし１４のいずれかに記載のＬＥＤ照明装置。
【請求項１６】
前記各係止板は、前記第２延出片に対して前記第１方向における前記裏面側につながり、前記中心線から遠ざかる方向に延びる折り返し部を有する、請求項１ないし１５のいずれかに記載のＬＥＤ照明装置。
【請求項１７】
前記複数の係止板は、前記第１方向視において前記中心線を挟んで反対側に対をなすように配置される、請求項１ないし１６のいずれかに記載のＬＥＤ照明装置。
【請求項１８】
前記ＬＥＤユニットに導通し、かつ外部の電力供給ケーブルが接続される端子台と、前記表面に固定され、かつ前記端子台を支持する端子台支持体と、を備える、請求項１７に記載のＬＥＤ照明装置。
【請求項１９】
前記端子台は、一対の前記係止板が離間する方向において一対の前記係止板の間に位置する、請求項１８に記載のＬＥＤ照明装置。
【請求項２０】
前記電力供給ケーブルは、前記径方向の外方から内方に向けて前記端子台に接続される、請求項１９に記載のＬＥＤ照明装置。
【請求項２１】
前記端子台は、前記第１方向視において前記表面からその全部が離間している状態で配置されている、請求項１８ないし２０のいずれかに記載のＬＥＤ照明装置。
【請求項２２】
前記端子台は、前記第１方向視において前記表面からその一部がはみ出している状態で配置されている、請求項１８ないし２０のいずれかに記載のＬＥＤ照明装置。
【請求項２３】
前記端子台支持体は、前記表面に固定された支持体固定部と、前記支持体固定部につながり、かつ前記端子台を支持する端子台支持部と、を有する、請求項２１に記載のＬＥＤ照明装置。
【請求項２４】
前記端子台支持部は、前記裏面と同方向を向く支持部裏面を有し、前記端子台は、前記支持部裏面に支持されている、請求項２３に記載のＬＥＤ照明装置。
【請求項２５】
前記端子台は、前記第１方向においてその一部が前記第１板部に対して前記裏面側に位置する、請求項２４に記載のＬＥＤ照明装置。
【請求項２６】
前記支持体固定部には、前記第１方向のうち前記裏面が向く方向に突出する支持体突起が形成され、
前記支持体突起は、前記第１板部に形成された支持体係合孔に係合している、請求項２３ないし２５のいずれかに記載のＬＥＤ照明装置。
【請求項２７】
前記装置ケースは、前記第１板部と前記第２板部との間に介在し、かつ前記第１板部から前記第２板部に向かうほど、前記第１方向に対する前記装置ケースの横断面の直径が長くなるように傾斜するテーパ部を有する、請求項２３ないし２６のいずれかに記載のＬＥＤ照明装置。
【請求項２８】
前記裏面に固定され、かつ前記端子台に導通するソケットを備え、
前記ＬＥＤユニットは、前記ソケットに着脱可能に取り付けられている、請求項１８ないし２７のいずれかに記載のＬＥＤ照明装置。
【請求項２９】
前記装置ケースは、前記第１方向のうち前記裏面が向く方向を向く前記第２板部の端縁によって構成された開口部を有し、
前記第１方向視における前記開口部の形状は、円形状である、請求項１ないし２８のいずれかに記載のＬＥＤ照明装置。
【請求項３０】
前記装置ケースは、前記開口部に沿って形成され、かつ前記第１方向に対して直角である方向に延出する環状の鍔部を有する、請求項２９に記載のＬＥＤ照明装置。
【請求項３１】
前記鍔部は、前記第１方向のうち前記表面が向く方向を向く鍔部表面を有し、前記鍔部表面に環状のパッキンが配置されている、請求項３０に記載のＬＥＤ照明装置。
【請求項３２】
前記第１方向視における前記ＬＥＤユニットの形状は、円形状である、請求項２９ないし３１のいずれかに記載のＬＥＤ照明装置。
【発明の詳細な説明】
【技術分野】
【０００１】
本発明は、家屋などの天井に取り付けられるダウンライトを構成するＬＥＤ照明装置に関する。
【背景技術】
【０００２】
家屋などの天井に取り付けられるダウンライトを構成するＬＥＤ照明装置は、ＬＥＤユニット（ＬＥＤ電球など）と、ＬＥＤユニットを収容する装置ケースと、装置ケースに固定された弾性体である支持片とを備えることが一般的である。たとえば特許文献１には、このようなＬＥＤ照明装置の一例が開示されている。特許文献１に開示されているＬＥＤ照明装置においては、装置ケース（特許文献１の反射部２５）の側面に支持片（特許文献１の取付ばね２７）の一端が固定され、支持片は側面に沿って鉛直下方に延出している。鉛直下方に延出した支持片は、装置ケースの側面の下端に形成された鍔部（特許文献１の鍔部２８）に接触した状態で屈曲し、側方に張り出した状態となっている。この屈曲した部分が支持片の回転支点となり、張り出した部分に荷重を与えると支持片が回転する。また、側方に張り出した支持片の先端部は、鉛直下方に突出している。
【０００３】
このようなＬＥＤ照明装置の天井への取り付けにあたっては、当該支持片の張り出した部分を装置ケースの側面に沿わせて折りたたみ、支持片の先端部を天井に設けられた取付け孔の周縁に引っ掛けて、当該ＬＥＤ照明装置が天井に吊り下げられた状態にする。この状態から、当該ＬＥＤ照明装置を取付け孔の背後へ押し込むと、復元力によって支持片が側方に張り出し、この張り出した部分が天井に接触することによって、当該ＬＥＤ照明装置が天井に取り付けられる。このとき、当該ＬＥＤ照明装置は、天井背後に埋設された状態となる。
【０００４】
特許文献１の図１には、天井に取り付けられたＬＥＤ照明装置の状態が示されている。図１によれば、鍔部（特許文献１の鍔部２８）に接触する支持片（特許文献１の取付ばね２７）の屈曲した部分（支持片の回転支点に該当）は、天井の取付け孔（特許文献１の取付孔１２）の内側に位置している。ここで、支持片は側方（装置ケースの径方向外方）に張り出しつつ天井に設けられる取付け孔の内側面に当接する。よって、天井に設けられる取付け孔の直径は、装置ケースの外径に加え、支持片の屈曲した部分を取付け孔の内側において張り出した状態で収容するために必要な長さを加えたものでなければならない。そのため、取付け孔の直径は、平面視（鉛直方向視）における装置ケースの寸法よりも必然的に長くなる。このようなＬＥＤ照明装置において、室内の照度を高めるためにＬＥＤユニットの寸法をより大きなものを適用すると、ＬＥＤユニットを収容する装置ケースの平面視における寸法が拡大されるため、天井に設けられる取付け孔の直径はさらに長くなる。したがって、当該ＬＥＤ照明装置が天井に対してコンパクトに取り付けられず、ＬＥＤ照明装置の鍔部の外径が長くなることによる美観の阻害や、取付け孔の直径が長くなることによる天井の強度低下が懸念される。
【先行技術文献】
【特許文献】
【０００５】
【特許文献１】特開２０１３−１４３２３５号公報
【発明の概要】
【発明が解決しようとする課題】
【０００６】
本発明は、上記した事情のもとで考え出されたものであって、家屋などの天井に対してコンパクトに取り付けられることが可能なＬＥＤ照明装置を提供することを主たる課題とする。
【課題を解決するための手段】
【０００７】
本発明によって提供されるＬＥＤ照明装置は、第１方向において互いに反対側を向く表面および裏面を有する第１板部と、前記第１方向視において前記第１板部を囲み、且つ第１板部に対して前記第１方向のうち前記裏面が向く方向に延出する第２板部と、を有する装置ケースと、前記第１板部に対して前記裏面側に着脱可能に取り付けられるＬＥＤユニットと、前記装置ケースに対して着脱可能に取り付けられる装置支持体と、を備え、前記装置支持体は、各々が前記第１方向のうち前記裏面が向く方向に延びる複数の係止板を備え、前記各係止板は、前記第１方向において前記第１板部寄りに位置する第１延出片と、前記第１方向において前記第１板部から前記第１延出片よりも離れて位置し、且つ前記第１方向に沿って延びる前記装置支持体の中心線に対する径方向において前記中心線から前記第１延出片よりも近い位置にある第２延出片と、を有し、前記複数の係止板は、前記第１方向視において前記複数の係止板で囲まれた空間に前記第２板部を配置可能な第１姿勢と、前記複数の係止板のうち少なくともいずれかの前記第１延出片の前記径方向における最大突出長さが前記第１姿勢をとるときよりも短くなる第２姿勢と、の間で姿勢変更可能である。
【０００８】
好ましい実施の形態においては、前記装置支持体は、前記各係止板が取り付けられる第３板部を有する。
【０００９】
好ましい実施の形態においては、前記各係止板は、前記第３板部に一部が重ね合わされる接続板部を有する。
【００１０】
好ましい実施の形態においては、前記複数の係止板の少なくとも一つは、前記第１方向に沿う軸線回りに回動可能である。
【００１１】
好ましい実施の形態においては、前記軸線は、前記第３板部と前記接続板部の重合部分を通る。
【００１２】
好ましい実施の形態においては、前記接続板部および前記第３板部のうち、一方には前記軸線を中心とする円弧状溝が形成され、他方には前記円弧状溝に挿通する突部が設けられている。
【００１３】
好ましい実施の形態においては、前記複数の係止板は、前記円弧状溝の周方向一方の第１内側縁部と前記突部とが当接するときに前記第１姿勢をとり、前記円弧状溝の周方向他方の第２内側縁部と前記突部とが当接するときに前記第２姿勢をとる。
【００１４】
好ましい実施の形態においては、前記第３板部は、前記第１板部と平行に配置され、且つ前記各係止板の前記接続板部と重なり合う部分を有する主板部と、この主板部の端縁から折れ曲がって、前記第１方向のうち前記裏面が向く方向に突き出る突出部と、を有する。
【００１５】
好ましい実施の形態においては、前記複数の係止板が前記第１姿勢をとるとき、前記軸線回りに回動可能な前記係止板における前記接続板部の端縁が、前記突出部に当接する。
【００１６】
好ましい実施の形態においては、前記装置支持体は、前記複数の係止板が前記第１姿勢をとるとき前記軸線回りに回動可能な前記係止板の回動を阻止するロック機構を備える。
【００１７】
好ましい実施の形態においては、前記ロック機構は、前記接続板部および前記第３板部のうち、前記他方に形成されたネジ孔と、当該ネジ孔に螺合するネジ軸および当該ネジ軸の一端につながる頭部を有し、且つ前記ネジ軸が前記突部であるボルト部材と、を含んで構成される。
【００１８】
好ましい実施の形態においては、前記装置支持体は、基端部が前記第１延出片に対して前記第１方向に沿って移動可能に取り付けられ、且つ前記第１延出片に対して前記径方向の外方に延出する、係止部材を備える。
【００１９】
好ましい実施の形態においては、前記係止部材は、前記基端部から先端部に向かうにつれて前記径方向における外方で且つ前記第１方向のうち前記裏面が向く方向に向かうように傾斜する第１位置と、前記基端部が前記第１位置よりも前記第１方向のうち前記表面が向く方向寄りに位置し、前記基端部から前記先端部にかけて前記第１方向に略沿って延びる第２位置と、をとるように変位可能である。
【００２０】
好ましい実施の形態においては、前記係止部材が前記第１位置をとるとき、前記先端部に対して前記第１方向のうち前記表面が向く方向に力を付与すると、前記第１延出片には前記基端部側を回転中心として前記表面が向く方向へのモーメントが作用する。
【００２１】
好ましい実施の形態においては、前記各係止板は、前記第１延出片および前記第２延出片につながる段差部を有する。
【００２２】
好ましい実施の形態においては、前記各係止板は、前記第２延出片に対して前記第１方向における前記裏面側につながり、前記中心線から遠ざかる方向に延びる折り返し部を有する。
【００２３】
好ましい実施の形態においては、前記複数の係止板は、前記第１方向視において前記中心線を挟んで反対側に対をなすように配置される。
【００２４】
好ましい実施の形態においては、前記ＬＥＤユニットに導通し、かつ外部の電力供給ケーブルが接続される端子台と、前記表面に固定され、かつ前記端子台を支持する端子台支持体と、を備える。
【００２５】
好ましい実施の形態においては、前記端子台は、一対の前記係止板が離間する方向において一対の前記係止板の間に位置する。
【００２６】
好ましい実施の形態においては、前記電力供給ケーブルは、前記径方向の外方から内方に向けて前記端子台に接続される。
【００２７】
好ましい実施の形態においては、前記端子台は、前記第１方向視において前記表面からその全部が離間している状態で配置されている。
【００２８】
好ましい実施の形態においては、前記端子台は、前記第１方向視において前記表面からその一部がはみ出している状態で配置されている。
【００２９】
好ましい実施の形態においては、前記端子台支持体は、前記表面に固定された支持体固定部と、前記支持体固定部につながり、かつ前記端子台を支持する端子台支持部と、を有する。
【００３０】
好ましい実施の形態においては、前記端子台支持部は、前記裏面と同方向を向く支持部裏面を有し、前記端子台は、前記支持部裏面に支持されている。
【００３１】
好ましい実施の形態においては、前記端子台は、前記第１方向においてその一部が前記第１板部に対して前記裏面側に位置する。
【００３２】
好ましい実施の形態においては、前記支持体固定部には、前記第１方向のうち前記裏面が向く方向に突出する支持体突起が形成され、前記支持体突起は、前記第１板部に形成された支持体係合孔に係合している。
【００３３】
好ましい実施の形態においては、前記装置ケースは、前記第１板部と前記第２板部との間に介在し、かつ前記第１板部から前記第２板部に向かうほど、前記第１方向に対する前記装置ケースの横断面の直径が長くなるように傾斜するテーパ部を有する。
【００３４】
好ましい実施の形態においては、前記裏面に固定され、かつ前記端子台に導通するソケットを備え、前記ＬＥＤユニットは、前記ソケットに着脱可能に取り付けられている。
【００３５】
好ましい実施の形態においては、前記装置ケースは、前記第１方向のうち前記裏面が向く方向を向く前記第２板部の端縁によって構成された開口部を有し、前記第１方向視における前記開口部の形状は、円形状である。
【００３６】
好ましい実施の形態においては、前記装置ケースは、前記開口部に沿って形成され、かつ前記第１方向に対して直角である方向に延出する環状の鍔部を有する。
【００３７】
好ましい実施の形態においては、前記鍔部は、前記第１方向のうち前記表面が向く方向を向く鍔部表面を有し、前記鍔部表面に環状のパッキンが配置されている。
【００３８】
好ましい実施の形態においては、前記第１方向視における前記ＬＥＤユニットの形状は、円形状である。
【発明の効果】
【００３９】
本発明によれば、ＬＥＤ照明装置が天井に対して、不都合を回避しつつコンパクトに取り付けられることが可能となる。
【００４０】
本発明のその他の特徴および利点は、添付図面を参照して以下に行う詳細な説明によって、より明らかとなろう。
【図面の簡単な説明】
【００４１】
【図１】本発明の一実施形態に係るＬＥＤ照明装置の斜視図である。
【図２】図１に示すＬＥＤ照明装置の平面図である。
【図３】図１に示すＬＥＤ照明装置の底面図である。
【図４】図１に示すＬＥＤ照明装置の側面図である。
【図５】図１に示すＬＥＤ照明装置の装置ケースの平面図である。
【図６】天井に取り付けられた図１に示すＬＥＤ照明装置の断面図である。
【図７】図６の部分拡大図である。
【図８】装置支持体を説明するための平面図である。
【図９】装置支持体を説明するための平面図である。
【図１０】装置支持体を説明するための部分拡大断面図である。
【図１１】装置支持体を説明するための部分拡大断面図である。
【図１２】装置支持体を説明するための部分拡大断面図である。
【図１３】図１に示すＬＥＤ照明装置の端子台支持体の正面図である。
【図１４】図１に示すＬＥＤ照明装置の端子台支持体の左側面図である。
【図１５】図１に示すＬＥＤ照明装置のＬＥＤユニットの平面図である。
【図１６】図１５に示すＬＥＤユニットの側面図である。
【図１７】図１５に示すＬＥＤユニットの底面図である。
【図１８】図１５のＸＶＩＩＩ−ＸＶＩＩＩ線に沿う断面図である。
【図１９】図１５に示すＬＥＤユニットのＬＥＤ発光部の平面図である。
【図２０】図１９のＸＸ−ＸＸ線に沿う断面図である。
【図２１】図１９に示すＬＥＤ発光部の要部拡大平面図である（封止樹脂およびホルダを省略）。
【図２２】比較例に係るＬＥＤ照明装置が天井に取り付けられた状態の一例を示す部分拡大断面図である。
【図２３】装置支持体の他の例を示す図８と同様の平面図である。
【図２４】図２３のＸＸＩＶ−ＸＸＩＶ線に沿う拡大端面図である。
【発明を実施するための形態】
【００４２】
以下、本発明の好ましい実施の形態につき、図面を参照して具体的に説明する。
【００４３】
図１〜図１４に基づき、本発明の一実施形態に係るＬＥＤ照明装置について説明する。本実施形態のＬＥＤ照明装置Ａ１０は、ＬＥＤユニットＢ、装置ケース５、ソケット５８、装置支持体６、端子台８１および端子台支持体８２を備える。
【００４４】
図１は、ＬＥＤ照明装置Ａ１０の斜視図である。図２は、ＬＥＤ照明装置Ａ１０の平面図である。図３は、ＬＥＤ照明装置Ａ１０の底面図である。図４は、ＬＥＤ照明装置Ａ１０の側面図であり、一部を切り欠いて表す。図５は、ＬＥＤ照明装置Ａ１０の装置ケース５の平面図である。図６は、天井に取り付けられたＬＥＤ照明装置Ａ１０の断面図である。図７は図６の部分拡大図である。図８および図９は、装置支持体６を説明するための平面図である。図１０、図１１および図１２は、装置支持体６を説明するための部分拡大断面図である。図１３は、ＬＥＤ照明装置Ａ１０の端子台支持体８２の正面図である。図１４は、ＬＥＤ照明装置Ａ１０の端子台支持体８２の左側面図である。
【００４５】
これらの図に示すＬＥＤ照明装置Ａ１０は、図６に示す天井Ｃに取り付けられるダウンライトを構成する。ここで、説明の便宜上、天井Ｃに取り付けられたＬＥＤ照明装置Ａ１０における装置支持体６の中心線Ｏｚが延びる鉛直軸方向を第１方向Ｚと、第１方向Ｚに対して直角である平面内において前記中心線Ｏｚから延びる任意の方向を径方向Ｘと、それぞれ定義する。
【００４６】
ＬＥＤユニットＢは、ＬＥＤ照明装置Ａ１０の本体部を構成し、ＬＥＤ照明装置Ａ１０の光源となる部分である。ＬＥＤユニットＢは、装置ケース５に収容されている。なお、説明の便宜上、ＬＥＤユニットＢの具体的な構成は後述にて説明する。
【００４７】
装置ケース５は、たとえばアルミダイキャストなど、しぼり加工により一体成形されており、ＬＥＤユニットＢを収容かつ保持する部材である。図２および図５に示すように、第１方向Ｚ視（平面視）における装置ケース５の形状は、円形状である。装置ケース５は、第１板部５１、第２板部５２、開口部５２１、テーパ部５３および鍔部５４を有する。装置ケース５の色は特に限定されず、本実施形態に係る装置ケース５は、全面が白色に塗装されている。
【００４８】
図１、図２および図５に示すように、第１板部５１は、第１方向Ｚ視における形状が円形状である板部材である。第１板部５１は、第１方向Ｚにおいて互いに反対側を向く表面５１１および裏面５１２を有する。表面５１１は、図６に示す第１板部５１の上面であり、ＬＥＤ照明装置Ａ１０の外側を向く面である。裏面５１２は、図６に示す第２板部５２の下面であり、ＬＥＤユニットＢを向く面である。表面５１１および裏面５１２は、ともに平坦面である。本実施形態においては、端子台支持体８２が表面５１１に固定されている。また、本実施形態においては、ソケット５８を介して裏面５１２側にＬＥＤユニットＢが着脱可能に取り付けられている。
【００４９】
図５に示すように、第１板部５１には、一対のソケット固定孔５１３が、装置ケース５の中心を挟んで互いに反対側に離間して形成されている。これらは第１板部５１を第１方向Ｚに貫通するネジ孔であり、裏面５１２側にソケット５８を固定する際に使用される。本実施形態においては、第１板部５１の中心には、装置支持体取付孔５１４が形成されている。装置支持体取付孔５１４は、第１板部５１を第１方向Ｚに貫通する孔であり、後述の取付ボルト６７が挿通する孔である。
【００５０】
また、図５に示すように、第１板部５１には、支持体固定孔５１５および支持体係合孔５１６が、一対のソケット固定孔５１３および装置支持体取付孔５１４とは離間して形成されている。支持体固定孔５１５は第１板部５１を第１方向Ｚに貫通するネジ孔であり、支持体係合孔５１６は第１板部５１を第１方向Ｚに貫通する孔である。支持体固定孔５１５および支持体係合孔５１６は、表面５１１に端子台支持体８２を固定する際に使用される孔である。
【００５１】
さらに、図５に示すように、第１板部５１には、支持体固定孔５１５の近傍にケーブル挿通孔５１７が形成されている。ケーブル挿通孔５１７は、第１板部５１を第１方向Ｚに貫通する孔である。ケーブル挿通孔５１７には、ソケット５８および端子台８１を相互に接続する導通ケーブル８８が挿通されている。
【００５２】
図１、図４および図６に示すように、第２板部５２は、第１方向Ｚにおいて第１板部５１を囲み、かつ第１板部５１に対して第１方向Ｚのうち裏面５１２が向く方向（ＬＥＤユニットＢから発せられる光の出射方向）に延出する板部材である。第２板部５２の形状は円筒状である。また、図６に示すように、開口部５２１は、第１方向Ｚのうち裏面５１２が向く方向を向く第２板部５２の端縁によって構成された部分である。図３に示すように、第１方向Ｚ視における開口部５２１の形状は、円形状である。
【００５３】
図１、図４および図６に示すように、テーパ部５３は、第１板部５１と第２板部５２との間に介在し、かつ第１板部５１から第２板部５２に向かうほど、第１方向Ｚに対する装置ケース５の横断面の直径が長くなるように傾斜する板部材である。図６に示すように、テーパ部５３の形状は、中空の円錐台状である。本実施形態においては、テーパ部５３の端縁が、第１方向Ｚにおいて第１板部５１を囲み、かつ第１板部５１につながっている。また、第１方向Ｚのうち第１板部５１がつながる端縁とは反対側に位置するテーパ部５３の端縁に、第２板部５２がつながっている。
【００５４】
図１〜図６に示すように、鍔部５４は、開口部５２１に沿って形成され、かつ第１方向Ｚに対して直角である方向に延出する部分である。鍔部５４の形状は環状である。鍔部５４は、第１方向Ｚにおいて互いに反対側を向く鍔部表面５４１および鍔部裏面５４２を有する。鍔部表面５４１は、図４に示す鍔部５４の上面であり、第１方向Ｚのうち表面５１１が向く方向を向く面である。鍔部裏面５４２は、図４に示す鍔部５４の下面であり、第１方向Ｚのうち裏面５１２が向く方向を向く面である。ＬＥＤ照明装置Ａ１０が天井Ｃに取り付けられたとき、天井Ｃから鍔部裏面５４２が露出する。図４に示すように、本実施形態においては、鍔部表面５４１に環状のパッキン５９が配置されている。パッキン５９は、たとえばエチレン・プロピレン系ゴムを使用した独立気泡合成ゴムスポンジからなる。図６に示すように、ＬＥＤ照明装置Ａ１０が天井Ｃに取り付けられたとき、パッキン５９は天井Ｃと鍔部表面５４１との間に挟まれた状態となる。
【００５５】
ソケット５８は、図６に示すように、裏面５１２に固定され、かつ導通ケーブル８８を介して端子台８１と導通する部材である。ソケット５８は、たとえば第１板部５１のソケット固定孔５１３に締結ボルト５７を螺合することにより固定される。ソケット５８は、ＬＥＤユニットＢとともに装置ケース５に収容されている。ソケット５８は、装置ケース５と異なり、合成樹脂製である。ソケット５８は、たとえば中空円筒形状である。ＬＥＤユニットＢは、ソケット５８に着脱可能に取り付けられている。本実施形態においては、ソケット５８は、ＩＥＣ（国際電気標準会議）規格のＧＸ５３型の口金が着脱可能となるように構成されている。
【００５６】
装置支持体６は、装置ケース５を支持しつつＬＥＤ照明装置Ａ１０を天井Ｃに取り付けるためのものである。図１、図２、図４および図６に示すように、装置支持体６は、第３板部６１と、複数の係止板６２と、ボルト部材６３と、ロック機構６４と、係止部材６５とを備えている。
【００５７】
第３板部６１は、第１板部５１の表面５１１側において当該第１板部５１に取り付けられている。第３板部６１は、主板部６１１および突出部６１２を有する。主板部６１１は、第１板部５１と平行に配置されている。主板部６１１は、第１方向Ｚ視において略矩形状であり、中心線Ｏｚを挟んで互いに反対側の径方向Ｘに延びている。突出部６１２は、主板部６１１の長手方向に延びる端縁から折れ曲がり、第１方向Ｚのうち裏面５１２が向く方向に突き出ている。
【００５８】
図６に示すように、主板部６１１の中央には、取付孔６１３が形成されている。取付孔６１３は、主板部６１１を第１方向Ｚに貫通するネジ孔である。この取付孔６１３には、第１板部５１の裏面５１２側から挿し込まれた取付ボルト６７が螺合している。取付ボルト６７は、第１板部５１の装置支持体取付孔５１４に挿通するとともに、頭部が第１板部５１の裏面５１２側から圧接している。これにより、第３板部６１は第１板部５１の表面５１１側に取り付けられる。また、ＬＥＤユニットＢをソケット５８から取り外すと、第１板部５１の裏面５１２側から取付ボルト６７を操作することが可能であり、取付ボルト６７を緩めることで第３板部６１を第１板部５１から取り外すことができる。このようにして、第３板部６１（装置支持体６）は第１板部５１（装置ケース５）に対して着脱可能に取り付けられている。
【００５９】
また、主板部６１１にはネジ孔６１４が形成されている。ネジ孔６１４は主板部６１１の長手方向における一端寄りに位置し、第１方向Ｚに貫通する。ネジ孔６１４の意義については後述する。
【００６０】
図１、図２、図６に示すように、複数の係止板６２は、各々、第３板部６１に取り付けられている。本実施形態においては、２つの係止板６２が第３板部６１の長手方向の両端に取り付けられている。これにより、複数（２つ）の係止板６２は、第１方向Ｚ視において中心線Ｏｚを挟んで反対側に対をなすように配置される。
【００６１】
詳細は後述するが、複数の係止板６２のうち少なくともいずれか１つは第３板部６１に対して可動するように取り付けられている。これにより、複数の係止板６２は姿勢変更可能となっている。本実施形態においては、図２に示された２つの係止板６２のうち、図中左方の係止板６２が可動するものであり、図中右方の係止板６２が第３板部６１に固定されたものである。以下の説明においては、可動式の係止板６２について適宜符号６２Ａを付し、固定式の係止板６２について適宜符号６２Ｂを付して、これらを適宜区別して表すこととする。
【００６２】
図１、図２、図６に示すように、各係止板６２は、第１延出片６２１、第２延出片６２２、段差部６２３、折り返し部６２４および接続板部６２５を有する。
【００６３】
接続板部６２５は、主板部６１１（第３板部６１）に一部が重ね合わされている。可動式の係止板６２Ａは、主板部６１１に対し、主板部６１１（第３板部６１）と接続板部６２５との重合部分を通る軸線Ｏ１回りに回動可能に取り付けられている。軸線Ｏ１は、第１方向Ｚに沿っている。また、係止板６２Ａの接続板部６２５には、軸線Ｏ１を中心とする円弧状溝６２６が形成されている。円弧状溝６２６は、接続板部６２５を厚さ方向（第１方向Ｚ）に貫通している。円弧状溝６２６の意義については後述する。係止板６２Ｂの接続板部６２５は、その一部が主板部６１１に重ね合わされた状態で当該主板部６１１に固定されている。
【００６４】
なお、固定式の係止板６２Ｂにおける接続板部６２５にも円弧状溝が形成されているが、これは係止板６２Ａ，６２Ｂを部品の共通化のために同一部材で構成したことによるものである。したがって、固定式の係止板６２Ｂの接続板部６２５については円弧状溝を有さない構成としてもよい。
【００６５】
第１延出片６２１および第２延出片６２２は、全体として、第１方向Ｚのうち裏面５１２が向く方向に延びている。第１延出片６２１は、接続板部６２５の端部から屈曲して第１方向Ｚに延びている。第１延出片６２１は、第１方向Ｚにおいて第２延出片６２２よりも第１板部５１寄りに位置する。第２延出片６２２は、第１方向Ｚにおいて第１板部５１から第１延出片６２１よりも離れて位置する。また、第２延出片６２２は、中心線Ｏｚから径方向Ｘにおいて第１延出片６２１よりも近い位置にある。
【００６６】
第１延出片６２１の幅方向（中心線Ｏｚ回りの周方向）における両端は、中心線Ｏｚに近づくように折り曲げられた屈曲部６２１ａとされている。また、第１延出片６２１には、スリット６２１ｂおよび開口６２１ｃが形成されている。スリット６２１ｂは第１方向Ｚに延びており、開口６２１ｃはスリット６２１ｂの上端につながっている。開口６２１ｃの前記幅方向における寸法は、スリット６２１ｂの前記幅方向における寸法よりも大きい。
【００６７】
段差部６２３は、第１延出片６２１および第２延出片６２２の間に位置し、これら第１延出片６２１および第２延出片６２２につながっている。本実施形態においては、段差部６２３は、第１方向Ｚのうち裏面５１２が向く方向に向かうほど中心線Ｏｚに近づくように傾斜している。
【００６８】
折り返し部６２４は、第２延出片６２２に対して第１方向Ｚのうち裏面５１２が向く方向の端部につながり、中心線Ｏｚから遠ざかる方向に延びる。本実施形態においては、折り返し部６２４は、第２延出片６２２の下端から径方向Ｘの外方に延びている。
【００６９】
図７に示すように、折り返し部６２４は、第１方向Ｚにおいて互いに反対側を向く折り返し部表面６２４ａおよび折り返し部裏面６２４ｂを有する。折り返し部表面６２４ａは、図６に示した折り返し部６２４の上面であり、第１方向Ｚのうち表面５１１が向く方向を向く面である。折り返し部裏面６２４ｂは、図６に示した折り返し部６２４の下面であり、第１方向Ｚのうち裏面５１２が向く方向を向く面である。  第３板部６１（装置支持体６）が第１板部５１（装置ケース５）に取り付けられた状態において、折り返し部裏面６２４ｂは、パッキン５９に圧接している。また、ＬＥＤ照明装置Ａ１０が天井Ｃに取り付けられたとき、折り返し部６２４の一部は、パッキン５９の一部とともに天井Ｃと鍔部表面５４１との間に挟まれた状態となる。
【００７０】
図６に示すように、主板部６１１（第３板部６１）のネジ孔６１４には、ボルト部材６３が螺合している。具体的には、ボルト部材６３は、ネジ軸６３１および頭部６３２を有し、ネジ軸６３１が係止板６２Ａにおける接続板部６２５の円弧状溝６２６に挿通されるとともにネジ孔６１４に螺合する。
【００７１】
前記のように、装置支持体６は、係止板６２Ａの接続板部６２５が軸線Ｏ１回りに回動可能である構成、接続板部６２５に軸線Ｏ１を中心とする円弧状溝６２６が形成される構成、および円弧状溝６２６にボルト部材６３が挿通される構成を具備する。これらの構成により、接続板部６２５（係止板６２Ａ）は、円弧状溝６２６がなす中心角に対応する角度範囲で回動可能である。
【００７２】
図８、図９は、装置支持体６の平面図である。これらの図において、第２板部５２や天井の取付け孔Ｄと装置支持体６との平面視におけるサイズを比較するために、第２板部５２および取付け孔Ｄを想像線で表している。
【００７３】
図８においては、係止板６２Ａの円弧状溝６２６の周方向一方の第１内側縁部６２６ａにボルト部材６３（ネジ軸６３１）が当接した状態を示している。図８に示した複数の係止板６２は展開した状態となっており、複数の係止板６２で囲まれた空間に第２板部５２を配置可能である。図８に示した複数の係止板６２は、本発明で言う第１姿勢をとっている。
【００７４】
図８に示した状態において、係止板６２Ａの円弧状溝６２６の第１内側縁部６２６ａにボルト部材６３（ネジ軸６３１）が当接する。また、図８に示した係止板６２Ａにおける接続板部６２５の端縁６２５ａが、第３板部６１の突出部６１２に当接する。このため、図８に示した第１姿勢をとる係止板６２Ａについて、軸線Ｏ１回りにさらに展開する方向（時計回り）の回動は的確に規制される。なお、図６、図８を参照すると理解されるように、ネジ孔６１４に螺合するボルト部材６３を締め付けると、主板部６１１とボルト部材６３の頭部６３２との間に係止板６２Ａの接続板部６２５が挟み付けられ、係止板６２Ａが軸線Ｏ１回りに閉じる方向（反時計回り）の回動が阻止される。ここで、ネジ孔６１４と、このネジ孔６１４に螺合し、且つ円弧状溝６２６に挿通されたボルト部材６３とは、本発明で言うロック機構６４を構成する。
【００７５】
図８に示した状態から、ボルト部材６３を緩めて係止板６２Ａを軸線Ｏ１回りに反時計回りに回動させると、図９に示した状態となる。図８においては、係止板６２Ａの円弧状溝６２６の周方向他方の第２内側縁部６２６ｂにボルト部材６３（ネジ軸６３１）が当接している。
【００７６】
図９に示した複数の係止板６２は畳まれた状態となっている。このとき、係止板６２Ａにおける第１延出片６２１の径方向Ｘにおける最大突出長さＬ２は、図８に示した係止板６２Ａにおける第１延出片６２１の径方向Ｘにおける最大突出長さＬ１よりも短くなっている。図９に示した複数の係止板６２は、本発明で言う第２姿勢をとっている。なお、複数の係止板６２が第２姿勢をとるとき、装置支持体６の平面視サイズは天井の取付け孔Ｄよりも小さく、装置支持体６は取付け孔Ｄを通過することができる。
【００７７】
図９に示した状態において、係止板６２Ａの円弧状溝６２６の第２内側縁部６２６ｂにボルト部材６３（ネジ軸６３１）が当接する。このため、図９に示した第２姿勢をとる係止板６２Ａについて、軸線Ｏ１回りにさらに畳まれる方向（反時計回り）の回動は規制される。これにより、複数の係止板６２は、図８に示した第１姿勢と、図９に示した第２姿勢との間で姿勢変更可能である。
【００７８】
図１、図６、図７、図１０に示すように、係止部材６５は、基端部６５１が第１延出片６２１に取り付けられており、第１延出片６２１に対して径方向Ｘの外方に延出する。これらの図に示された係止部材６５は、基端部６５１から先端部６５２に向かうにつれて、径方向Ｘにおける外方で且つ第１方向Ｚのうち裏面５１２が向く方向に向かうように傾斜する。
【００７９】
係止部材６５は、所定形状の板部材を折り曲げて形成されたものであり、図６、図７、図１０に示すように、ベース部６６１、係止凸片６６２、第１バネ片６６３、第２バネ片６６４および係止爪６６５を有する。ベース部６６１は、断面コの字状をなしており、第１延出片６２１のスリット６２１ｂに挿通される部分である。係止凸片６６２は、ベース部６６１から幅方向両外側に折り返された部分であり、第１延出片６２１において径方向Ｘの内方を向く延出片裏面６２１ｅに当接しうる部分である。第１バネ片６６３は、各係止凸片６６２から第１方向Ｚのうち表面５１１が向く方向に延びており、延出片裏面６２１ｅに当接しうる部分である。第２バネ片６６４は、ベース部６６１の幅方向両外側から第１方向Ｚのうち表面５１１が向く方向に延びており、第１延出片６２１において径方向Ｘの外方を向く延出片表面６２１ｄに当接しうる部分である。係止爪６６５は、ベース部６６１の幅方向両外側から第１方向Ｚのうち裏面５１２が向く方向に延びており、天井Ｃの上面に当接しうる部分である。
【００８０】
図７、図１０に示した係止部材６５は、ベース部６６１がスリット６２１ｂに挿通するとともに、第１バネ片６６３および第２バネ片６６４により第１延出片６２１を延出片裏面６２１ｅおよび延出片表面６２１ｄの両側からを挟んでいる。これにより、係止部材６５は、前記した傾斜状態が維持される。図７、図１０に示した係止部材６５は、本発明で言う第１位置をとっている。
【００８１】
図１０に示した状態において、先端部６５２に対して第１方向Ｚのうち表面５１１が向く方向（図中上方）に力を与えると、基端部６５１側を回転中心として回転させられ係止凸片６６２が延出片裏面６２１ｅに当接する（図１１参照）。このとき、係止部材６５の回転が制限される。ここで、先端部６５２に対して第１方向Ｚのうち表面５１１が向く方向に力（図１１の矢印Ｆ参照）を付与すると、第１延出片６２１には基端部６５１側を回転中心として表面５１１が向く方向へのモーメント（図１１の矢印Ｍ参照）が作用する。
【００８２】
図１０に示した状態において、基端部６５１に対して第１方向Ｚのうち表面５１１が向く方向（図中上方）に力を与えると、係止部材６５は、スリット６２１ｂに沿ってスライド移動させられる。そして、開口６２１ｃに臨む位置まで到達すると、図１２に示すように、第１バネ片６６３の一部が開口６２１ｃの外側に臨む状態となる、このとき、基端部６５１が前述の第１位置よりも第１方向Ｚのうち表面５１１が向く方向（図中上方）寄りに位置しており、基端部６５１から先端部６５２にかけて第１方向Ｚに略沿って延びている。図１２に示した係止部材６５は、本発明で言う第２位置をとっている。
【００８３】
端子台８１は、図１〜図４に示すように、導通ケーブル８８およびソケット５８を介してＬＥＤユニットＢに導通し、かつ外部の電力供給ケーブル８９が接続される、ＬＥＤユニットＢの電力供給に係る部品である。端子台８１は、装置ケース５に収容されず、装置ケース５の外部に露出している。端子台８１は、第３板部６１の長手方向において一対の係止板６２の間に位置し、かつ端子台８１の長手方向が、第１方向Ｚと第３板部６１の長手方向とのいずれにも直角である径方向Ｘに沿った状態で配置されている。なお、端子台８１は、その長手方向が第１方向Ｚと第３板部６１の長手方向とのいずれにも直角である径方向Ｘに対して所定の角度をもって傾いた状態で配置されていてもよい。電力供給ケーブル８９は、第１方向Ｚと第３板部６１の長手方向とのいずれにも直角である径方向Ｘの外方から内方に向けて端子台８１に接続される構成となっている。本実施形態に係る端子台８１は、第１方向Ｚ視において表面５１１からその全部が離間している状態で配置されている。ここで、端子台８１は、第１方向Ｚ視において表面５１１からその一部がはみ出している状態で、換言すれば第１方向Ｚ視において端子台８１の一部が表面５１１に重なった状態で配置されていてもよい。
【００８４】
端子台支持体８２は、図１、図２および図４に示すように、表面５１１に固定され、かつ端子台８１を支持する板部材である。端子台支持体８２は、支持体固定部８２１および端子台支持部８２２を有する。
【００８５】
図２および図４に示すように、支持体固定部８２１は、表面５１１に固定された部分である。図１３に示すように、支持体固定部８２１には、第１方向Ｚに貫通する支持体挿通孔８２１ａが形成されている。支持体挿通孔８２１ａおよび第１板部５１に形成された支持体固定孔５１５に、図２および図４に示す支持体締結部材８２３が連通されている。支持体締結部材８２３によって、表面５１１に端子台支持体８２が固定される。支持体締結部材８２３は、たとえばボルトである。また、図１３、図１４に示した支持体固定部８２１には、第１方向Ｚのうち裏面５１２が向く方向に突出する支持体突起８２１ｂが形成されている。第１方向Ｚ視における支持体突起８２１ｂの形状は、円形状である。本実施形態においては、支持体突起８２１ｂは、第１板部５１に形成された支持体係合孔５１６に係合している。
【００８６】
図２および図４に示すように、端子台支持部８２２は、支持体固定部８２１につながり、かつ端子台８１を支持する部分である。端子台支持部８２２は、第１方向Ｚにおいて互いに反対側を向く支持部表面８２２ａおよび支持部裏面８２２ｂを有する。支持部表面８２２ａは、図４に示す端子台支持部８２２の上面であり、第１方向Ｚのうち表面５１１が向く方向を向く面である。支持部裏面８２２ｂは、図４に示す端子台支持部８２２の下面であり、第１方向Ｚのうち裏面５１２が向く方向を向く面である。本実施形態においては、端子台８１は、支持部裏面８２２ｂに支持されている。この場合において、端子台８１は、第１方向Ｚにおいてその一部が第１板部５１に対して裏面５１２側に位置する構成となっている。また、図１３に示すように、端子台支持部８２２には、第１方向Ｚに貫通する一対の端子台支持孔８２２ｃおよび端子台係合孔８２２ｄが形成されている。本実施形態においては、端子台係合孔８２２ｄが一対の端子台支持孔８２２ｃの間に位置している。一対の端子台支持孔８２２ｃおよび端子台係合孔８２２ｄは、端子台８１を端子台支持部８２２に支持する際に使用される孔である。また、本実施形態においては、端子台支持孔８２２ｃの直径は、端子台係合孔８２２ｄの直径よりも長い。なお、端子台支持部８２２は、たとえばバネ材を用いて構成されている。これは、ＬＥＤ照明装置Ａ１０を天井Ｃに取り付ける際、端子台支持部８２２およびこれに支持された端子台８１が天井Ｃの取付け孔Ｄを通過するのを容易にするためである。
【００８７】
次に、図１５〜図２１に基づき、ＬＥＤ照明装置Ａ１０を構成するＬＥＤユニットＢの具体的な構成について説明する。本実施形態のＬＥＤユニットＢは、ケース１、ＬＥＤ発光部２、カバー３および電源部４を備える。本実施形態においては、ＬＥＤユニットＢは、高さが相対的に低い略円柱状であり、平面視におけるＬＥＤユニットＢの形状は、円形状である。
【００８８】
図１５は、ＬＥＤユニットＢの平面図である。図１６は、ＬＥＤユニットＢの側面図である。図１７は、ＬＥＤユニットＢの底面図である。図１８は、図１５のＸＶＩＩＩ−ＸＶＩＩＩ線に沿う断面図である。
【００８９】
ケース１は、ＬＥＤ発光部２、カバー３および電源部４を収容もしくは保持するものである。本実施形態においては、ケース１は、放熱部材１１、絶縁部材１２および中間ブラケット１５からなる。本実施形態においては、ケース１は、平面視円形状である。
【００９０】
放熱部材１１は、ＬＥＤ発光部２からの熱を放散することが意図された部材であり、たとえばアルミなどの金属からなる。放熱部材１１は、搭載面１１１、複数のフィン１１２および係合部１１３を有する。搭載面１１１は、ＬＥＤ発光部２からの光を出射させる出射方向（図１８における図中上方）を向いており、円形の略平面である。複数のフィン１１２は、ＬＥＤ発光部２からの熱の放散を促進するためのものであり、放熱部材１１の外周部分全周にわたって設けられている。フィン１１２は、ＬＥＤユニットＢの軸方向および径方向に対して平行である。係合部１１３は、搭載面１１１を取り囲む円環状の部分である。係合部１１３は、カバー３の取り付けに用いられる。
【００９１】
絶縁部材１２は、放熱部材１１に対して前記出射方向とは反対側に取り付けられており、平面視における絶縁部材１２の形状は、円形状である。絶縁部材１２は、絶縁性材料からなり、本実施形態においては、たとえばポリブチレンテレフタレート（ＰＢＴ）樹脂からなる。絶縁部材１２は、凸部１２１を有する。凸部１２１は、前記出射方向とは反対側に突出する円柱形状部分である。図１６に示すように、凸部１２１には、溝部１２２が形成されている。溝部１２２は、前記軸方向に延びる部分と、これに続いて前記周方向に延びる部分とを有する。また、絶縁部材１２には、２つのピン１３が設けられている。２つのピン１３は、凸部１２１を挟んで前記径方向において互いに反対側に位置しており、前記出射方向とは反対側に突出している。この凸部１２１と２つのピン１３とによって口金１４が構成されている。口金１４は、ＬＥＤユニットＢを先述したソケット５８に接続するためのものであり、本実施形態においてはＩＥＣ規格のＧＸ５３型である。ＬＥＤユニットＢをソケット５８に接続したとき、２つのピン１３がソケット５８に係合する。
【００９２】
中間ブラケット１５は、放熱部材１１と絶縁部材１２との間に設けられている。中間ブラケット１５は、絶縁性材料からなり、本実施形態においては、たとえばポリブチレンテレフタレート（ＰＢＴ）樹脂からなる。中間ブラケット１５は、２つのピン１３および電源部４の固定保持や、２つのピン１３、ＬＥＤ発光部２および電源部４を接続する配線などを保持する機能を果たす。
【００９３】
ＬＥＤ発光部２は、ＬＥＤユニットＢの光源をなす部分である。図１９〜図２１に示すように、ＬＥＤ発光部２は、ＬＥＤ基板２１、複数のＬＥＤチップ２２、封止樹脂２４、堰部２５およびホルダ２６を備える。図１９は、ＬＥＤユニットＢのＬＥＤ発光部２の平面図である。図２０は、図１９のＸＸ−ＸＸ線に沿う断面図である。図２１は、図１９に示すＬＥＤ発光部２の要部拡大平面図であり、理解の便宜上、後述する封止樹脂２４およびホルダ２６を省略している。
【００９４】
図１９に示すように、ＬＥＤ基板２１は、たとえば平面視矩形状であり、複数のＬＥＤチップ２２が搭載されている。ＬＥＤ基板２１の構成は特に限定されないが、本実施形態においては、基材２１１および配線パターン２１２を有する。ＬＥＤ基板２１の平面視寸法は、たとえば１２×１５ｍｍである。
【００９５】
基材２１１は、絶縁性材料からなり、熱伝導率が高められたガラスエポキシ樹脂やセラミックスからなる。配線パターン２１２は、複数のＬＥＤチップ２２を実装し、かつこれらのＬＥＤチップ２２への導通経路を構成する。配線パターン２１２は、金属のメッキ層からなり、たとえばＣｕ，Ｎｉ，ＡｕまたはＡｇなどからなる。本実施形態においては、配線パターン２１２は、２６個の複数のＬＥＤチップ２２を搭載するためのボンディングパッドと、ホルダ２６との導通をとるための２つの接続パッドとを有する。前記２つの接続パッドは、図２１において複数のＬＥＤチップ２２を挟んでＬＥＤ基板２１の対角線方向に離間配置された矩形状部分である。
【００９６】
複数のＬＥＤチップ２２は、ＬＥＤ発光部２の発光要素である。ＬＥＤチップ２２は、たとえばＧａＮからなる半導体層を有しており、たとえば青色光を発する。本実施形態においては、２６個のＬＥＤチップ２２がＬＥＤ基板２１に搭載されている。これらのＬＥＤチップ２２は、略マトリクス状に配置されている。ＬＥＤチップ２２は、いわゆる２ワイヤタイプのＬＥＤチップである。本実施形態においては、隣り合うＬＥＤチップ２２どうしが、ワイヤ２３によって直接接続されている。さらに、本実施形態においては、すべてのＬＥＤチップ２２が互いに直列に接続されている。これらのＬＥＤチップ２２は、配線パターン２１２の前記２つの接続パッドの間において直接に接続されている。複数のＬＥＤチップ２２の配列ピッチは、たとえば１．０〜１．７ｍｍである。
【００９７】
堰部２５は、ＬＥＤ基板２１上に形成されており、複数のＬＥＤチップ２２を囲んでいうる。本実施形態においては、堰部２５は、平面視において矩形環状とされており、たとえば白色のエポキシ樹脂からなる。堰部２５の高さは、ＬＥＤチップ２２よりも高い。
【００９８】
封止樹脂２４は、複数のＬＥＤチップ２２を覆っており、堰部２５によって囲まれた領域に充填されている。封止樹脂２４は、たとえばシリコーン樹脂あるいはエポキシ樹脂などの透明な樹脂に、蛍光材料が混入された材質からなる。この蛍光材料は、ＬＥＤチップ２２からの青色光によって励起されることにより黄色光を発する。また、ＬＥＤチップ２２からの青色光によって励起されることにより、赤色光を発する蛍光材料と緑色光を発する蛍光材料とを混ぜて用いてもよい。これにより、ＬＥＤ発光部２からは、電球色、昼光色などの白色光が発せられる。
【００９９】
ホルダ２６は、ＬＥＤ基板２１を放熱部材１１の搭載面１１１に対して固定保持するためのものである。ホルダ２６は、本体２６１および２つの保持電極２６２を有する。本体２６１は、たとえば絶縁性の樹脂からなり、図１９および図２０に示すように、平面視寸法がＬＥＤ基板２１よりも大とされている。また、複数のＬＥＤチップ２２を覆う封止樹脂２４を露出させるように、本体２６１は、その中央部分が開口している。２つの保持電極２６２は、ＬＥＤ基板２１の配線パターン２１２の前記２つの接続パッドに各々が接触している。２つの保持電極２６２は、ＬＥＤケーブル４８を介して電源部４に導通している。ホルダ２６の放熱部材１１への取り付けは、ねじや嵌合などによってなされる。
【０１００】
カバー３は、ケース１に対して前記出射方向に位置するように取り付けられている。カバー３は、ＬＥＤ発光部２からの光を透過させる。また、本実施形態においては、カバー３は、ＬＥＤ発光部２からの光を拡散させつつ透過させる。カバー３の材質としては、透光性を有する樹脂またはガラスに拡散材を混入した材質が挙げられる。このような構成により、カバー３は、たとえば乳白色を呈する。
【０１０１】
カバー３は、平面視における形状が円形状であり、内側表面３１０、外側表面３２０、側面３４０および係合部３２を有する。
【０１０２】
内側表面３１０は、ＬＥＤ発光部２側に位置しており、ケース１の放熱部材１１の搭載面１１１と正対している。平面視における内側表面３１０の形状は、円形状である。本実施形態に係る内側表面３１０は、粗面仕上げとされている。
【０１０３】
外側表面３２０は、内側表面３１０とは反対側に位置しており、平面視における外側表面３２０の形状は、円形状である。本実施形態に係る外側表面３２０は、ＬＥＤ発光部２から離間する側（図１８における図中上側）に膨出した形状である。また、本実施形態に係る外側表面３２０は、平滑な鏡面仕上げとされている。
【０１０４】
側面３４０は、内側表面３１０と外側表面３２０とが離間する方向に沿っており、断面円形状の曲面である。係合部３２は、カバー３の外周端に設けられており、ケース１の放熱部材１１の１１３と係合することにより、カバー３をケース１に取り付ける機能を果たす。
【０１０５】
なお、本実施形態によるカバー３の形状は、ＬＥＤ発光部２から出射された光を偏りなく拡散させる作用を図ったものであり、カバー３の形状は他にも多種多様の形状をとることができる。
【０１０６】
電源部４は、たとえば商用の１００Ｖ交流電力をＬＥＤ発光部２の複数のＬＥＤチップ２２を点灯させるのに適した直流電力に変換するものである。電源部４は、絶縁部材１２の凸部１２１に収容されている。
【０１０７】
本実施形態の電源部４は、電源基板４１および複数の電子部品４２からなる。
【０１０８】
電源基板４１は、電源部４の土台となるものであり、複数の電子部品４２を支持している。また、複数の電子部品４２どうしを適宜導通させる導通経路を有する。
【０１０９】
複数の電子部品４２は、電源部４の機能を実現するための電源回路を構成する要素である。複数の電子部品４２の種類や仕様は特に限定されないが、代表的なものとして、トランス、コンデンサ、抵抗器およびダイオードなどが挙げられる。
【０１１０】
電源部４には、ＬＥＤケーブル４８および電源ケーブル４９が接続されている。ＬＥＤケーブル４８は、電源部４からＬＥＤ発光部２へと電力を供給するものであり、電源部４とＬＥＤ発光部２とに接続されている。電源ケーブル４９は、外部から受けた電力を電源部４へと導くものであり、電源部４とケース１のピン１３とに接続されている。
【０１１１】
次に、ＬＥＤ照明装置Ａ１０の作用について説明する。
【０１１２】
図６等を参照して説明したように、ＬＥＤ照明装置Ａ１０においては、第１板部５１に対して裏面５１２側にＬＥＤユニットＢが着脱可能に取り付けられ、裏面５１２とは反対側を向く第１板部５１の表面５１１側に装置支持体６が着脱可能に取り付けられている。装置支持体６は、第１方向Ｚのうち裏面５１２が向く方向に延びる複数の係止板６２を備え、各係止板６２は、第１延出片６２１および第２延出片６２２を有する。第１延出片６２１は、第１方向Ｚにおいて第１板部５１寄りに位置する。第２延出片６２２は、第１方向Ｚにおいて第１板部５１から第１延出片６２１よりも離れて位置し、装置支持体６の中心線Ｏｚに対する径方向Ｘにおいて中心線Ｏｚから第１延出片６２１よりも近い位置にある。
【０１１３】
そして、図８、図９を参照して説明したように、複数の係止板６２は、第１姿勢と第２姿勢との間で姿勢変更可能である。複数の係止板６２が第１姿勢をとるとき、これら係止板６２は展開した状態となっており、第１方向Ｚ視においてこれら係止板６２で囲まれた空間に第２板部５２を配置可能である。複数の係止板６２が第２姿勢をとるとき、これら係止板６２は畳まれた状態となっており、可動する係止板６２Ａにおける第１延出片６２１の径方向Ｘにおける最大突出長さＬ２は、第１姿勢をとるときの当該第１延出片６２１の径方向Ｘにおける最大突出長さＬ１よりも短くなっている。
【０１１４】
このような構成によれば、ＬＥＤ照明装置Ａ１０を天井Ｃに取り付ける際、装置支持体６を装置ケース５から取リ外した上で、複数の係止板６２についてはコンパクトに畳んだ第２姿勢をとらせることにより、装置支持体６の各第１延出片６２１を天井Ｃに設けられた取付け孔Ｄに通過させる。そして、可動する係止板６２を軸線Ｏ１回りに回動させることで、複数の係止板６２が展開した第１姿勢をとらせる。このとき、図６、図８から明らかなように、複数の係止板６２における各第１延出片６２１の中心線Ｏｚからの径方向Ｘにおける距離は取付け孔Ｄの半径よりも大きく、各第１延出片６２１は、第１方向Ｚ視において取付け孔Ｄの外側に張り出した位置にある。複数の係止板６２に第１姿勢をとらせた装置支持体６と装置ケース５とをつなぎ、装置ケース５にＬＥＤユニットＢを取り付けることで、ＬＥＤ照明装置Ａ１０の天井への取り付けが完了する。
【０１１５】
本実施形態と異なり、比較例に係るＬＥＤ照明装置における天井への取り付けにおいては、たとえば図２２に示すように支持片６'が利用される。支持片６'は、装置ケース５'における第２板部５２'の側面に一端６８'が固定され、当該側面に沿って鉛直下方に延出している。鉛直下方に延出した支持片６’は、鍔部５４'付近で屈曲させさられて側方（装置ケース５’の径方向外方）に張り出した状態となっている。本比較例に係るＬＥＤ照明装置Ａ１０'が天井Ｃに取り付けられるとき、支持片６’における屈曲した部分６９'が天井Ｃの取付け孔Ｄの内側において張り出した状態で収容されている。このような構成においては、天井Ｃに設けられる取付け孔Ｄの直径は、装置ケース５’の外径に加え、支持片６'の屈曲した部分６９'を取付け孔Ｄの内側において張り出した状態で収容するために必要な長さを加えたものでなければならない。これに対し、本実施形態のＬＥＤ照明装置Ａ１０においては、装置支持体６における複数の係止板６２が姿勢変更可能とされている。天井Ｃの取付け孔Ｄに取り付ける際、複数の係止板６２が畳まれたコンパクトな第２姿勢をとらせることにより、装置ケース５の外径寸法に対して天井Ｃの取付け孔Ｄの直径を短く設定することが可能である。したがって、ＬＥＤ照明装置Ａ１０によれば、天井Ｃに対して、よりコンパクトに取り付けられることができる。
【０１１６】
また、図２２に示された比較例に係るＬＥＤ照明装置Ａ１０’の天井Ｃへの取り付けや取り外しの際には、当該ＬＥＤ照明装置Ａ１０’は、天井Ｃに吊り下げられた状態と、取付け孔Ｄの背後へ押し込まれて埋設された取付け状態との間で上下動させられる。このとき、側方に張り出した支持片６’が天井Ｃの取付け孔Ｄの内側面に摺接することになり、その結果、取付け孔Ｄの内側面が削れたり、そのような取付け孔Ｄの削れに起因してＬＥＤ照明装置Ａ１０’が本来の取付け状態から垂れ下がってしまう虞れがある。これに対し、本実施形態のＬＥＤ照明装置Ａ１０においては、複数の係止板６２が第１姿勢をとるときには、第１方向Ｚ視において取付け孔Ｄの外側に張り出した位置にある各第１延出片６２１あるいはその下方につながる部分（本実施形態では段差部６２３）が天井Ｃの上面に接触することによって、装置支持体６を含むＬＥＤ照明装置Ａ１０全体が天井Ｃに支持される。このような構成によれば、取付け孔Ｄの内側面に装置支持体６の各部が摺接することはなく、取付け孔Ｄ内側面の削れ等の不都合を適切に回避することができる。
【０１１７】
装置支持体６における複数の係止板６２について、第１姿勢および第２姿勢との姿勢変更は、可動する係止板６２Ａを第１方向Ｚに沿う軸線Ｏ１回りに回動させることにより行う。当該軸線Ｏ１は、第３板部６１の主板部６１１と係止板６２の接続板部６２５との重合部分を通っており、接続板部６２５には軸線Ｏ１を中心とする円弧状溝６２６が形成され、主板部６１１には、円弧状溝６２６に挿通する突部としてのボルト部材６３が設けられている。そして、複数の係止板６２は、円弧状溝６２６の周方向一方の第１内側縁部６２６ａとボルト部材６３（突部）とが当接するときに第１姿勢をとり、円弧状溝６２６の周方向他方の第２内側縁部６２６ｂとボルト部材６３とが当接するときに第２姿勢をとる。このような構成によれば、複数の係止板６２が展開した第１姿勢をとるときにこれら係止板６２の中心線Ｏｚからの寸法を正確に規定することができる。
【０１１８】
ＬＥＤユニットＢが取付けられた装置ケース５は、実質的に装置支持体６の第３板部６１によって支持される。第３板部６１は、主板部６１１の端縁から折れ曲がって、第１方向Ｚのうち裏面５１２が向く方向に突き出る突出部６１２を有する。このような構成によれば、装置ケース５およびＬＥＤユニットＢの荷重がかかる第３板部６１の剛性を高めるのに適する。
【０１１９】
複数の係止板６２が第１姿勢をとるとき、軸線回りに回動可能な前記係止板６２Ａにおける接続板部６２５の端縁６２５ａが、第３板部６１の突出部６１２に当接する。このような構成によれば、複数の係止板６２が展開した第１姿勢をとるときにこれら係止板６２の中心線Ｏｚからの寸法を、より正確に規定することができる。
【０１２０】
装置支持体６は、複数の係止板６２が第１姿勢をとるとき、係止板６２Ａの回動を阻止するロック機構６４を備える。このような構成によれば、複数の係止板６２が第１姿勢をとる状態から不容易に姿勢変更することが防止される。したがって、天井Ｃの取付け孔Ｄに取り付けられたＬＥＤ照明装置Ａ１０の取り付け状態を適切に維持することができる。
【０１２１】
装置支持体６は、第１延出片６２１に基端部６５１が取り付けられた係止部材６５を備える。係止部材６５は、図１０に示したように基端部６５１から先端部６５２にかけて径方向Ｘ外方に広がるように傾斜する第１位置と、図１２に示したように、第１位置をとるときよりも第１方向Ｚのうち表面５１１が向く方向寄りに位置する第２位置と、をとるように変位可能である。係止部材６５が第１位置をとるとき、図１１に示したように先端部６５２に対して第１方向Ｚのうち表面５１１が向く方向に力を付与すると、第１延出片６２１には基端部６５１側を回転中心として表面５１１が向く方向へのモーメントが作用する。このような構成によれば、ＬＥＤ照明装置Ａ１０を天井Ｃの取付け孔Ｄに取り付けた際、係止部材６５が天井Ｃの上面からの反力を受けることによって、ＬＥＤ照明装置Ａ１０の取り付け状態がより安定する。
【０１２２】
また、天井Ｃの取付け孔Ｄに対して装置支持体６の取り付けないし取り外しを行う際には、基端部６５１を押し上げて係止部材６５に第２位置をとらせることで装置支持体６全体の寸法をコンパクトにすることができる。したがって、取付け孔Ｄに対する装置支持体６取り付けないし取り外しを容易に行うことができる。
【０１２３】
端子台８１の配置について、端子台支持部８２２の支持部裏面８２２ｂに端子台８１が支持され、第１方向Ｚにおいて第１板部５１に対して裏面５１２側に端子台８１の一部が位置する配置とすることによって、第１方向ＺにおけるＬＥＤ照明装置Ａ１０の寸法の縮小を図ることができる。また、第１板部５１と第２板部５２との間に介在するテーパ部５３を有する装置ケース５とすることによって、端子台８１を、より装置ケース５の第１方向Ｚ視中心に近づけて配置することができるため、第１方向Ｚに対して直角である方向におけるＬＥＤ照明装置Ａ１０の寸法の縮小を図ることができる。
【０１２４】
鍔部５４は、ＬＥＤ照明装置Ａ１０が天井Ｃに取り付けられたとき、ＬＥＤ照明装置Ａ１０が天井Ｃの背後に過度に埋設されることを防止するためのストッパとしての機能を果たす。また、パッキン５９は、ＬＥＤ照明装置Ａ１０が天井Ｃに取り付けられたとき、鍔部５４が天井Ｃに接触し、天井Ｃに傷が発生することを防ぐ効果がある。
【０１２５】
本発明に係るＬＥＤ照明装置は、上述した実施形態に限定されるものではない。本発明に係るＬＥＤ照明装置の各部の具体的な構成は、種々に設計変更自在である。
【０１２６】
上記実施形態においては、装置支持体６が装置ケース５の第１板部５１に取り付けられる場合について説明したが、本発明はこれに限定されない。装置支持体６が装置ケース５の第２板部５２やテーパ部５３など他の部分に取り付けられる構成としてもよい。
【０１２７】
上記実施形態では、装置支持体において可動する係止板６２Ａについて、軸線Ｏ１回りに回動可能とされていたが、これに代えて、係止板６２Ａがいわゆるスライド移動可能（往復直線動可能）となるように構成してもよい。図２３、図２４は、そのような装置支持体の一例を示している。図２３に示した装置支持体６において、可動する係止板６２Ａの接続板部６２５には、直線状のガイド溝６２７が形成されている。当該ガイド溝６２７は、主板部６１１の長手方向に沿って真っ直ぐ延びている。ガイド溝６２７は、接続板部６２５を厚さ方向（第１方向Ｚ）に貫通している。図２３、図２４に示す構成において、第３板部６１は、主板部６１１の長手方向に延びる両端縁につながる一対の突出部６１２を有する。一対の突出部６１２はたとえば各々が断面Ｌ字状とされており、これら突出部６１２によって接続板部６２５の幅方向両端部６２５ｂ，６２５ｂが係止される。主板部６１１に形成されたネジ孔６１４には、ボルト部材６３が螺合している。また、ボルト部材６３は、ガイド溝６２７に挿通する。図２３、図２４に示された構成によれば、係止板は、ガイド溝６２７に沿って図２３における左右方向にスライド移動可能である。図２３に示す状態において、係止板６２はスライド移動可能範囲のうち左端に寄った位置にあり、本発明で言う第１姿勢をとっている。なお、ネジ孔６１４に螺合するボルト部材６３を締め付けると、主板部６１１とボルト部材６３の頭部６３２との間に係止板６２Ａの接続板部６２５が挟み付けられ、係止板６２Ａの移動が阻止される。
【０１２８】
また、装置支持体６を構成する係止板６２の数量は上記実施形態で示した２つに限定されず、３つ以上の係止板を具備する構成としてもよい。さらに、可動する係止板を複数備える構成とすることもできる。
【符号の説明】
【０１２９】
Ａ１０      ＬＥＤ照明装置
Ｂ          ＬＥＤユニット
１          ケース
１１        放熱部材
１１１      搭載面
１１２      フィン
１１３      係合部
１２        絶縁部材
１２１      凸部
１２２      溝部
１３        ピン
１４        口金
１５        中間ブラケット
２          ＬＥＤ発光部
２１        ＬＥＤ基板
２１１      基材
２１２      配線パターン
２２        ＬＥＤチップ
２３        ワイヤ
２４        封止樹脂
２５        堰部
２６        ホルダ
２６１      本体
２６２      保持電極
３          カバー
３１０      内側表面
３２０      外側表面
３４０      側面
３２        係合部
４          電源部
４１        電源基板
４２        電子部品
４８        ＬＥＤケーブル
４９        電源ケーブル
５          装置ケース
５１        第１板部
５１１      表面
５１２      裏面
５１３      ソケット固定孔
５１４      装置支持体取付孔
５１５      支持体固定孔
５１６      支持体係合孔
５１７      ケーブル挿通孔
５２        第２板部
５２１      開口部
５３        テーパ部
５４        鍔部
５４１      鍔部表面
５４２      鍔部裏面
５７        締結ボルト
５８        ソケット
５９        パッキン
６          装置支持体
６１        第３板部
６１１      主板部
６１２      突出部
６１３      取付孔
６１４      ネジ孔
６２，６２Ａ，６２Ｂ    係止板
６２１      第１延出片
６２１ａ    屈曲部
６２１ｂ    スリット
６２１ｃ    開口
６２１ｄ    延出片表面
６２１ｅ    延出片裏面
６２２      第２延出片
６２３      段差部
６２４      折り返し部
６２４ａ    折り返し部表面
６２４ｂ    折り返し部裏面
６２５      接続板部
６２５ａ    端縁
６２６      円弧状溝
６２６ａ    第１内側縁部
６２６ｂ    第２内側縁部
６３        ボルト部材
６３１      ネジ軸
６３２      頭部
６４        ロック機構
６５        係止部材
６５１      基端部
６５２      先端部
６６１      ベース部
６６２      係止凸片
６６３      第１バネ片
６６４      第２バネ片
６６５      係止爪
６７        取付ボルト
８１        端子台
８２        端子台支持体
８２１      支持体固定部
８２１ａ    支持体挿通孔
８２１ｂ    支持体突起
８２２      端子台支持部
８２２ａ    支持部表面
８２２ｂ    支持部裏面
８２２ｃ    端子台支持孔
８２２ｄ    端子台係合孔
８２３      支持体締結部材
８８        導通ケーブル
８９        電力供給ケーブル
Ｘ          径方向
Ｚ          第１方向
Ｃ          天井
Ｄ          取付け孔
Ｆ，Ｍ      矢印
Ｏ１        軸線
Ｏｚ        中心線
【図１】
0006633945.tif 000002
【図２】
0006633945.tif 000003
【図３】
0006633945.tif 000004
【図４】
0006633945.tif 000005
【図５】
0006633945.tif 000006
【図６】
0006633945.tif 000007
【図７】
0006633945.tif 000008
【図８】
0006633945.tif 000009
【図９】
0006633945.tif 000010
【図１０】
0006633945.tif 000011
【図１１】
0006633945.tif 000012
【図１２】
0006633945.tif 000013
【図１３】
0006633945.tif 000014
【図１４】
0006633945.tif 000015
【図１５】
0006633945.tif 000016
【図１６】
0006633945.tif 000017
【図１７】
0006633945.tif 000018
【図１８】
0006633945.tif 000019
【図１９】
0006633945.tif 000020
【図２０】
0006633945.tif 000021
【図２１】
0006633945.tif 000022
【図２２】
0006633945.tif 000023
【図２３】
0006633945.tif 000024
【図２４】
0006633945.tif 000025